(57)【要約】【課題】電力デマンド制御の効率性と公平性とを確保することができる電力デマンド制御装置を提供する。【解決手段】複数の負荷設備を第１群と第２群とに選別する選別手段と、複数の負荷設備の目標電力を設定する設定手段と、複数の負荷設備の使用電力量の合計値が目標電力を超えないように所定の周期毎に複数の負荷設備への電力供給を制御する際に、第２群の負荷設備への電力供給の遮断よりも第１群の負荷設備への電力供給の遮断を優先し、第２群の負荷設備の電力供給を遮断する場合は、第２群の負荷設備の各々への電力供給を順番に遮断する制御手段と、を備えた。【選択図】図６
2013046551.tif 000002
【特許請求の範囲】
【請求項１】
複数の負荷設備を第１群と第２群とに選別する選別手段と、
前記複数の負荷設備の目標電力を設定する設定手段と、
前記複数の負荷設備の使用電力量の合計値が目標電力を超えないように所定の周期毎に前記複数の負荷設備への電力供給を制御する際に、前記第２群の負荷設備への電力供給の遮断よりも前記第１群の負荷設備への電力供給の遮断を優先し、前記第２群の負荷設備の電力供給を遮断する場合は、第２群の負荷設備の各々への電力供給を順番に遮断する制御手段と、
を備えたことを特徴とする電力デマンド制御装置。
【請求項２】
前記第１群の負荷設備の重要度を記憶した記憶手段、
を備え、
前記制御手段は、前記第２群の負荷設備の電力供給を遮断した後の周期で前記第１群の負荷設備の全てへの電力供給を遮断する必要がない場合は、前記第１群の負荷設備のうち、重要度の高い負荷設備から順番に電力供給を復旧する負荷設備を選択することを特徴とする請求項１記載の電力デマンド制御装置。
【請求項３】
前記設定手段は、前記第２群の負荷設備への電力供給の遮断を開始する際の目標電力の設定値を変更し得るように設けられたことを特徴とする請求項１又は請求項２に記載の電力デマンド制御装置。
【発明の詳細な説明】
【技術分野】
【０００１】
この発明は、電力デマンド制御装置に関するものである。
【背景技術】
【０００２】
電力デマンド制御装置として、負荷設備をグループ化して管理するものが提案されている。この電力デマンド制御装置は、サイクリック指令方法又はレベル別指令方法を適宜選択してデマンド制御を行う。
【０００３】
サイクリック指令方法が選択されると、各グループに対してサイクリックにデマンド制御の指示が与えられる。これに対し、レベル別指令方法が選択されると、ピークカットレベルに対する受容度レベルに応じてデマンド制御の指示が与えられる（例えば、特許文献１参照）。
【先行技術文献】
【特許文献】
【０００４】
【特許文献１】特許第４５４７７７６号公報
【発明の概要】
【発明が解決しようとする課題】
【０００５】
しかしながら、サイクリック指令方法の場合は、複数の負荷設備への電力供給が公平に遮断される。すなわち、重要度の低い廊下等の負荷設備も順番に遮断される。このため、電力デマンド制御の効率性を確保できない。これに対し、レベル別指令方法の場合は、重要度の低い負荷設備は常に遮断される。このため、電力デマンド制御の公平性を確保できない。
【０００６】
この発明は、上述のような課題を解決するためになされたもので、その目的は、電力デマンド制御の効率性と公平性とを確保することができる電力デマンド制御装置を提供することである。
【課題を解決するための手段】
【０００７】
この発明に係る電力デマンド制御装置は、複数の負荷設備を第１群と第２群とに選別する選別手段と、前記複数の負荷設備の目標電力を設定する設定手段と、前記複数の負荷設備の使用電力量の合計値が目標電力を超えないように所定の周期毎に前記複数の負荷設備への電力供給を制御する際に、前記第２群の負荷設備への電力供給の遮断よりも前記第１群の負荷設備への電力供給の遮断を優先し、前記第２群の負荷設備の電力供給を遮断する場合は、第２群の負荷設備の各々への電力供給を順番に遮断する制御手段と、を備えたものである。
【発明の効果】
【０００８】
この発明によれば、電力デマンド制御の効率性と公平性とを確保することができる。
【図面の簡単な説明】
【０００９】
【図１】この発明の実施の形態１における電力デマンド制御装置のブロック図である。
【図２】この発明の実施の形態１における電力デマンド制御装置の目標電力が時間毎に変更される場合の目標電力テーブル記憶手段を説明するための図である。
【図３】この発明の実施の形態１における電力デマンド制御装置の目標電力が曜日毎に変更される場合の目標電力テーブル記憶手段を説明するための図である。
【図４】この発明の実施の形態１における電力デマンド制御装置の目標電力が期間毎に変更される場合の目標電力テーブル記憶手段を説明するための図である。
【図５】この発明の実施の形態１における電力デマンド制御装置の目標電力が特定日毎に変更される場合の目標電力テーブル記憶手段を説明するための図である。
【図６】この発明の実施の形態１における電力デマンド制御装置に遮断される負荷設備を説明するための図である。
【図７】この発明の実施の形態１における電力デマンド制御装置の動作の概要を説明するためのフローチャートである。
【図８】この発明の実施の形態１における電力デマンド制御装置の電力デマンド制御機能を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における電力デマンド制御装置のブロック図である。
【００１２】
図１において、１はスケジュール管理部である。スケジュール管理部１は、目標電力テーブル記憶手段１ａ、警報電力テーブル記憶手段１ｂ、カレンダ監視手段１ｃ、時刻監視手段１ｄ、演算手段１ｅ、目標電力メモリ１ｆ、警報電力メモリ１ｇを備える。
【００１３】
目標電力テーブル記憶手段１ａは、目標電力のスケジュールとして、制御時刻に対応付けて、複数の負荷設備の目標電力の設定値を記憶する機能を備える。警報電力テーブル記憶手段１ｂは、警報電力のスケジュールとして、制御時刻に対応付けて、複数の負荷設備の警報電力の設定値を記憶する機能を備える。カレンダ監視手段１ｃは、年月日と曜日とを監視する機能を備える。時刻監視手段１ｄは、時刻を監視する機能を備える。
【００１４】
演算手段１ｅは、取得手段として、カレンダ監視手段１ｃと時刻監視手段１ｄとの監視結果に基づいて、現時点の年月日、曜日、時刻に対応した目標電力の設定値を目標電力テーブル記憶手段１ａから取得する機能を備える。演算手段１ｅは、取得手段として、カレンダ監視手段１ｃと時刻監視手段１ｄとの監視結果に基づいて、現時点の年月日、曜日、時刻に対応した警報電力の設定値を警報電力テーブル記憶手段１ｂから取得する機能を備える。
【００１５】
目標電力メモリ１ｆは、演算手段１ｅが取得した目標電力の設定値を記憶する機能を備える。警報電力メモリ１ｇは、演算手段１ｅが取得した警報電力の設定値を記憶する機能を備える。
【００１６】
２は電力デマンド周期監視手段である。電力デマンド周期監視手段２は、複数の負荷設備に対して電力デマンド制御を行うデマンド周期を監視する機能を備える。３は演算手段である。演算手段３は、デマンド周期開始時に目標電力メモリ１ｆの設定値と警報電力メモリ１ｇの設定値とを読み込む機能を備える。
【００１７】
４は電力デマンド制御部である。電力デマンド制御部４は、パラメータ記憶手段４ａ、使用電力計測手段４ｂ、演算手段４ｃ、負荷制御手段４ｄを備える。
【００１８】
パラメータ記憶手段４ａは、設定手段として、演算手段３が読み込んだ目標電力メモリ１ｆの設定値と警報電力メモリ１ｇの設定値とを記憶する機能を備える。使用電力計測手段４ｂは、各負荷設備の使用電力量を計測する機能を備える。
【００１９】
演算手段４ｃは、使用電力計測手段４ｂの計測結果等に基づいて、各負荷設備の使用電力量を予測する機能を備える。負荷制御手段４ｄは、各負荷設備の使用電力量の予測結果の合計値が目標電力を超えないように各負荷設備への電力供給を制御する機能を備える。
【００２０】
図２はこの発明の実施の形態１における電力デマンド制御装置の目標電力が時間毎に変更される場合の目標電力テーブル記憶手段を説明するための図である。
【００２１】
図２に示すように、目標電力テーブル記憶手段１ａには、平日の１１時以降に開始するデマンド周期の開始時に対応して、目標電力の設定値として、通常時よりも１５％減少した６００ｋＷが記憶される。平日の１６時以降に開始するデマンド周期の開始時に対応して、目標電力の設定値として、通常時の８００ｋＷが記憶される。
【００２２】
図３はこの発明の実施の形態１における電力デマンド制御装置の目標電力が曜日毎に変更される場合の目標電力テーブル記憶手段を説明するための図である。
【００２３】
図３に示すように、目標電力テーブル記憶手段１ａには、月曜日の０時以降に開始するデマンド周期の開始時に対応して、目標電力の設定値として、６００ｋＷが記憶される。金曜日の０時以降に開始するデマンド周期の開始時に対応して、目標電力の設定値として、５８０ｋＷが記憶される。
【００２４】
図４はこの発明の実施の形態１における電力デマンド制御装置の目標電力が期間毎に変更される場合の目標電力テーブル記憶手段を説明するための図である。
【００２５】
図４に示すように、目標電力テーブル記憶手段１ａには、デマンド周期よりも長い期間毎のスケジュールが記憶される。具体的には、７月１日の０時以降に開始するデマンド周期の開始時に対応して、目標電力の設定値として、６００ｋＷが記憶される。１０月１日の０時以降に開始するデマンド周期の開始時に対応して、目標電力の設定値として、８００ｋＷが記憶される。
【００２６】
図５はこの発明の実施の形態１における電力デマンド制御装置の目標電力が特定日毎に変更される場合の目標電力テーブル記憶手段を説明するための図である。
【００２７】
図５に示すように、目標電力テーブル記憶手段１ａには、８月６日の０時以降に開始するデマンド周期の開始時に対応して、目標電力の設定値として、１１００ｋＷが記憶される。
【００２８】
なお、目標電力の設定値と同様に、警報電力の設定値は、時間毎、曜日毎、期間毎、特定日毎等に記憶される。
【００２９】
次に、図６を用いて、電力デマンド制御の例を説明する。
図６はこの発明の実施の形態１における電力デマンド制御装置に遮断される負荷設備を説明するための図である。
【００３０】
図６に示すように、電力デマンド制御においては、複数の遮断レベルが設定される。図６においては、目標電力の設定値が高い順に、第１〜第５遮断レベルが設定される。
【００３１】
本実施の形態の負荷設備は、重要度の低い第１群の負荷設備と重要度の高い第２群の負荷設備とに選別される。例えば、廊下の照明等の共用設備は、第１群の負荷設備に選別される。カードリーダ等のセキュリティ設備は、第２群の負荷設備に選別される。
【００３２】
図６においては、負荷設備群Ａ、Ｂは、優先順グループとして、第１群の負荷設備に選別される。負荷設備群Ｃ、Ｄ、Ｅは、ローテーショングループとして、第２群の負荷設備群に選別される。
【００３３】
本実施の形態においては、遮断レベルが第１遮断レベルの場合は、負荷設備群Ａへの電力供給が遮断される。遮断レベルが第２遮断レベルの場合は、負荷設備群Ａ、Ｂへの電力供給が遮断される。遮断レベルが第３遮断レベル〜第５遮断レベルの場合は、負荷設備群Ａ、Ｂへの電力供給が遮断されるだけでなく、負荷設備群Ｃ、Ｄ、Ｅへの電力供給が順番に遮断される。
【００３４】
すなわち、第２群の負荷設備への電力供給の遮断よりも第１群の負荷設備への電力供給の遮断が優先される。第２群の負荷設備の電力供給を遮断する場合は、第２群の負荷設備の各々への電力供給が順番に遮断される。つまり、デマンド周期が変わった場合、前回のデマンド周期で電力供給が遮断された負荷設備の次の負荷設備から順番に電力供給が遮断される。
【００３５】
図６において、第１デマンド周期の遮断レベルは第４遮断レベルである。このとき、負荷設備群Ａ、Ｂへの電力供給が遮断されるだけでなく、負荷設備群Ｃ、Ｄへの電力供給も遮断される。第２デマンド周期の遮断レベルは第３遮断レベルである。このとき、負荷設備群Ａ、Ｂへの電力供給が遮断されるだけでなく、負荷設備群Ｄの次の負荷設備群Ｅへの電力供給も遮断される。
【００３６】
第３デマンド周期の遮断レベルは第５遮断レベルである。このとき、負荷設備群Ａ、Ｂへの電力供給が遮断されるだけでなく、負荷設備群Ｃへの電力供給が再び遮断される。さらに、負荷設備群Ｃの次の負荷設備群Ｄ、負荷設備群Ｄの次の負荷設備群Ｅへの電力供給が遮断される。
【００３７】
第４デマンド周期の遮断レベルは第１遮断レベルである。このとき、負荷設備群Ａへの電力供給のみが遮断される。すなわち、第４デマンド周期においては、負荷設備群Ｂへの電力供給が復旧する。
【００３８】
次に、図７を用いて、電力デマンド制御装置の動作の概要を説明する。
図７はこの発明の実施の形態１における電力デマンド制御装置の動作の概要を説明するためのフローチャートである。
【００３９】
ステップＳ１では、スケジュール管理部１がスケジュール管理機能を実施する。その結果、年月日、曜日、時刻に対応した目標電力の設定値が目標電力メモリ１ｆに記憶される。現時点の年月日、曜日、時刻に対応した警報電力の設定値が警報電力メモリ１ｇに記憶される。
【００４０】
その後、ステップＳ２に進み、電力デマンド周期監視手段２がデマンド周期の開始を判定する。デマンド周期が開始した場合は、ステップＳ３に進む。
【００４１】
ステップＳ３では、演算手段３が電力デマンド制御の目標電力の設定値と警報電力の設定値とを更新する。当該更新により、目標電力メモリ１ｆの設定値と警報電力メモリ１ｇの設定値とがパラメータ記憶手段４ａに反映される。
【００４２】
その後、ステップＳ４に進み、更新された目標電力の設定値と警報電力の設定値とに基づいて、電力デマンド制御部４が電力デマンド機能を実施する。当該実施により、動作のフローが終了する。
【００４３】
ステップＳ２でデマンド周期が開始していない場合は、ステップＳ３を経由せずに、ステップＳ４に進む。ステップＳ４では、現状の目標電力の設定値と警報電力の設定値とに基づいて、電力デマンド制御部４が電力デマンド機能の実施を維持する。当該実施の維持により、動作のフローが終了する。
【００４４】
負荷設備の電力使用量の合計値が目標電力を超過する場合、演算手段４ｃは、第一警報を示す信号を出力する。その後、負荷設備の電力使用量の合計値が警報電力を超過する場合は、演算手段４ｃは、第一警報より重要な警報として、第二警報を示す信号を出力する。
【００４５】
次に、図８を用いて、電力デマンド制御機能を説明する。
図８はこの発明の実施の形態１における電力デマンド制御装置の電力デマンド制御機能を説明するためのフローチャートである。
【００４６】
ステップＳ１１では、演算手段４ｃは、デマンド周期の開始と終了とを判定する。デマンド周期の開始でも終了でもない場合は、ステップＳ１１の判定が繰り返される。デマンド周期の開始又は終了の場合は、ステップＳ１２に進む。ステップＳ１２では、演算手段４ｃは、デマンド周期の開始か否かを判定する。
【００４７】
デマンド周期が開始した場合は、ステップＳ１３に進む。ステップＳ１３では、演算手段４ｃは、目標電力の設定値に基づいて、遮断レベルを演算する。その後、ステップＳ１４に進み、演算手段４ｃは、遮断レベルを判定する。
【００４８】
遮断レベルが優先順グループへの電力供給を遮断するだけで対応できるレベルの場合は、ステップＳ１５に進む。ステップＳ１５では、該当する第１群の負荷設備への電力供給を遮断するように負荷制御手段４ｄを制御する。当該制御によって、電力デマンド制御機能のフローが終了する。
【００４９】
ステップＳ１４で遮断レベルがローテーショングループへの電力供給を遮断して対応するレベルの場合は、ステップＳ１６に進む。ステップＳ１６では、演算手段４ｃは、電力供給を遮断する第２群の負荷設備を判定する。その後、ステップＳ１７に進み、演算手段４ｃは、第１群の負荷設備の全てと該当する第２群の負荷設備への電力供給を遮断するように負荷制御手段４ｄを制御する。
【００５０】
その後、ステップＳ１８に進み、電力デマンド制御部４の記憶手段（図示せず）は、該当する第２群の負荷設備群を示す情報を記憶する。当該記憶により、電力デマンド制御機能のフローが終了する。
【００５１】
ステップＳ１２でデマンド周期が終了した場合は、ステップＳ１９に進む。ステップＳ１９では、演算手段４ｃは、電力供給の遮断されている全負荷設備群が復旧するように、負荷制御手段４ｄを制御する。
【００５２】
その後、ステップＳ２０に進み、電力デマンド制御部４の記憶手段は、次回の電力デマンド制御の際に電力供給を遮断する第２群の負荷設備群を示す情報を記憶する。当該記憶により、電力デマンド制御機能のフローが終了する。
【００５３】
以上で説明した実施の形態１によれば、時刻に対応した目標電力が自動で設定される。このため、目標電力を変更しながら電力デマンド制御を確実に行うことができる。
【００５４】
また、デマンド周期毎に目標電力が設定される。このため、きめ細かく目標電力を変更しても、電力デマンド制御を確実に行うことができる。
【００５５】
また、曜日毎に目標電力が設定される。このため、平日、休日等、各曜日の状況に合わせた電力デマンド制御を確実に行うことができる。
【００５６】
また、特定日毎に目標電力が設定される。このため、特定日に開催されるイベント等に適した電力デマンド制御を確実に行うことができる。
【００５７】
なお、デマンド周期、曜日、期間、特定日の組み合わせによって目標電力を設定してもよい。この場合、目標電力をより細かく設定することができる。
【００５８】
また、時刻に対応した警報電力が自動で設定される。このため、各時刻に応じた警報を発することができる。
【００５９】
また、デマンド周期毎に警報電力が設定される。このため、きめ細かく警報を発することができる。
【００６０】
また、曜日毎に警報電力が設定される。このため、平日、休日等、各曜日の状況に合わせた警報を発することができる。
【００６１】
また、特定日毎に警報電力が設定される。このため、特定日に開催されるイベント等に適した警報を発することができる。
【００６２】
なお、デマンド周期、曜日、期間、特定日の組み合わせによって警報電力を設定してもよい。この場合、警報をより細かく発することができる。
【００６３】
また、重要度の低い第１群の負荷設備から電力供給が遮断される。前記第２群の負荷設備の電力供給を遮断する場合は、第２群の負荷設備の各々への電力供給が順番に遮断される。このため、電力デマンド制御の効率性と公平性とを確保することができる。
【００６４】
なお、実施の形態１においては、図８に示すように、デマンド周期の終了毎に電力供給の遮断されている全負荷設備群への電力供給が復旧していた。しかしながら、デマンド周期の終了毎に電力供給の遮断されている全負荷設備群への電力供給を復旧させずに、デマンド周期の開始時に、遮断レベルに応じて、該当する負荷設備群への電力供給を復旧させてもよい。
【００６５】
この場合、記憶手段等で、第１群の負荷設備の重要度を記憶し、重要度に応じて、電力供給を復旧する第１群の負荷設備を選択すればよい。例えば、第２群の負荷設備の電力供給を遮断した後の周期で第１群の負荷設備の全てへの電力供給を遮断する必要がない場合がある。この場合、第１群の負荷設備のうち、重要度の高い負荷設備から順番に電力供給を復旧する負荷設備を選択すれば、第１群の負荷設備に対して、効率の良い電力デマンド制御を行うことができる。
【００６６】
なお、第２群の負荷設備への電力供給の遮断を開始する際の目標電力の設定値は適宜変更してもよい。この場合、電力デマンド制御をより細かく行うことができる。
【符号の説明】
【００６７】
１  スケジュール管理部
１ａ  目標電力テーブル記憶手段
１ｂ  警報電力テーブル記憶手段
１ｃ  カレンダ監視手段
１ｄ  時刻監視手段
１ｅ  演算手段
１ｆ  目標電力メモリ
１ｇ  警報電力メモリ
２  電力デマンド周期監視手段
３  演算手段
４  電力デマンド制御部
４ａ  パラメータ記憶手段
４ｂ  使用電力計測手段
４ｃ  演算手段
４ｄ  負荷制御手段
【図１】
2013046551.tif 000003
【図２】
2013046551.tif 000004
【図３】
2013046551.tif 000005
【図４】
2013046551.tif 000006
【図５】
2013046551.tif 000007
【図６】
2013046551.tif 000008
【図７】
2013046551.tif 000009
【図８】
2013046551.tif 000010